(57)【要約】【課題】カバーをベースに装着すべき時にシャフト先端の位置とカバーの凹部の位置とがずれている場合であってもシャフト先端を凹部と嵌合させつつ、カバーをベースに対して押圧することのみによってカバーをベースに装着する。【解決手段】カバー3をベース1に装着すべき時にシャフト先端21の位置とカバー3の凹部31の位置とがずれている場合には、シャフト先端21が突き当たることによってカバー3が変形せしめられ、シャフト先端21が凹部31の位置まで移動するように、カバー3を構成した。係合用溝部11a,11b,11c,11dをベース1に設け、カバー3が弾性変形することにより係合用溝部11a,11b,11c,11dとスナップフィット式に係合可能な係合用突部33a,33b,33c,33dをカバー3に設けた。【選択図】図１
2007204150.tif 000002
【特許請求の範囲】
【請求項１】
ディスクを載置するためのベースと、前記ベース上に積み重ねて載置される複数のディスクを整列するためのシャフトと、前記ベース上に載置されたディスクを覆うためのカバーとを具備し、前記カバーが前記ベースに装着された時にシャフト先端と嵌合する凹部を前記カバーに設け、
前記カバーを前記ベースに装着すべき時に前記シャフト先端の位置と前記凹部の位置とがずれている場合には、前記シャフト先端が突き当たることによって前記カバーが変形せしめられ、それにより、前記シャフト先端が前記凹部の位置まで移動するように、前記カバーを構成したディスクケースにおいて、
係合用溝部を前記ベースに設け、
前記カバーが弾性変形することにより前記係合用溝部とスナップフィット式に係合可能な係合用突部を前記カバーに設けたことを特徴とするディスクケース。
【発明の詳細な説明】
【技術分野】
【０００１】
本発明はディスクケースに関し、特には、カバーをベースに装着すべき時にシャフト先端の位置とカバーの凹部の位置とがずれている場合であってもシャフト先端を凹部と嵌合させることができると共に、カバーをベースに対して押圧することのみによってカバーをベースに装着することができるディスクケースに関する。
【背景技術】
【０００２】
従来、ディスクを載置するためのベースと、ベース上に積み重ねて載置される複数のディスクを整列するためのシャフトと、ベース上に載置されたディスクを覆うためのカバーとを具備し、カバーがベースに装着された時にシャフト先端と嵌合する凹部をカバーに設けたディスクケースが知られている。この種のディスクケースの例としては、例えば特開２０００−１６８８７２号公報に記載されたものがある。特開２０００−１６８８７２号公報に記載されたディスクケースでは、シャフトの長手方向に延びている溝がカバーの外周面に形成され、その溝と嵌合する突起がベースの外周面に形成されている。更に、カバーをベースに装着すべき時には、ユーザーによってカバーの溝がベースの突起に対して位置合わせされ、それにより、シャフト先端の位置とカバーの凹部の位置とが一致せしめられ、シャフト先端がカバーの凹部と嵌合せしめられるようになっている。
【０００３】
ところが、カバーをベースに装着すべき時にカバーの溝をベースの突起に対して位置合わせする作業は、ユーザーにとって比較的煩雑な作業であると言える。ユーザーにとっては、カバーの溝をベースの突起に対して位置合わせする必要なく、カバーをベースに対して押圧することのみによって、カバーをベースに装着できることが望ましい。
【０００４】
しかしながら、カバーの溝をベースの突起に対して位置合わせすることなく、カバーをベースに対して押圧することのみによってカバーをベースに装着できるようにディスクケースを構成すると、例えばカバーがベースに対して少し斜めに押圧された場合に、シャフト先端の位置とカバーの凹部の位置とがずれてしまうおそれがある。
【０００５】
例えば特開２０００−１６８８７２号公報に記載されたディスクケースのようにカバーが比較的硬い材料によって形成されているディスクケースにおいて、カバーがベースに対して少し斜めに押圧され、シャフト先端の位置とカバーの凹部の位置とがずれてしまうと、シャフト先端がカバーの凹部のまわりに突き当たってしまい、ユーザーは、カバーをベースに対して更に押圧することができず、シャフト先端をカバーの凹部と嵌合させることができなくなってしまう。
【０００６】
すなわち、例えば特開２０００−１６８８７２号公報に記載されたディスクケースのようにカバーが比較的硬い材料によって形成されているディスクケースにおいて、カバーの溝をベースの突起に対して位置合わせすることなく、カバーをベースに対して押圧することのみによってカバーをベースに装着できるようにディスクケースを構成すると、カバーをベースに装着すべき時にカバーがベースに対して少し斜めに押圧された場合、ユーザーは、シャフト先端をカバーの凹部と嵌合させることができず、それゆえ、カバーをベースに装着することができなくなってしまう。
【０００７】
【特許文献１】特開２０００−１６８８７２号公報
【特許文献２】特開２０００−２８９７９２号公報
【発明の開示】
【発明が解決しようとする課題】
【０００８】
前記問題点に鑑み、本発明はカバーをベースに装着すべき時にシャフト先端の位置とカバーの凹部の位置とがずれている場合であってもシャフト先端を凹部と嵌合させることができると共に、カバーをベースに対して押圧することのみによってカバーをベースに装着することができるディスクケースを提供することを目的とする。
【課題を解決するための手段】
【０００９】
請求項１に記載の発明によれば、ディスクを載置するためのベースと、前記ベース上に積み重ねて載置される複数のディスクを整列するためのシャフトと、前記ベース上に載置されたディスクを覆うためのカバーとを具備し、前記カバーが前記ベースに装着された時にシャフト先端と嵌合する凹部を前記カバーに設け、前記カバーを前記ベースに装着すべき時に前記シャフト先端の位置と前記凹部の位置とがずれている場合には、前記シャフト先端が突き当たることによって前記カバーが変形せしめられ、それにより、前記シャフト先端が前記凹部の位置まで移動するように、前記カバーを構成したディスクケースにおいて、係合用溝部を前記ベースに設け、前記カバーが弾性変形することにより前記係合用溝部とスナップフィット式に係合可能な係合用突部を前記カバーに設けたことを特徴とするディスクケースが提供される。
【発明の効果】
【００１０】
請求項１に記載のディスクケースでは、カバーをベースに装着すべき時にシャフト先端の位置と凹部の位置とがずれている場合には、シャフト先端が突き当たることによってカバーが変形せしめられ、それにより、シャフト先端が凹部の位置まで移動するように、カバーが構成されている。そのため、請求項１に記載のディスクケースによれば、カバーをベースに装着すべき時にシャフト先端の位置とカバーの凹部の位置とがずれている場合であっても、シャフト先端を凹部と嵌合させることができる。
【００１１】
また、請求項１に記載のディスクケースでは、係合用溝部がベースに設けられている。更に、カバーが弾性変形することによりベースの係合用溝部とスナップフィット式に係合可能な係合用突部が、カバーに設けられている。そのため、請求項１に記載のディスクケースによれば、カバーをベースに対して押圧することのみによってカバーをベースに装着することができる。
【００１２】
換言すれば、請求項１に記載のディスクケースによれば、カバーをベースに装着すべき時にシャフト先端の位置とカバーの凹部の位置とがずれている場合であってもシャフト先端を凹部と嵌合させることができると共に、カバーをベースに対して押圧することのみによってカバーをベースに装着することができる。
【００１３】
更に、請求項１に記載のディスクケースでは、好ましくは、凹部のまわりに凸部が配置され、シャフト先端が突き当たることによってカバーが変形せしめられている時に、シャフト先端が突き当たっている凸部がテーパ状になるように、凸部が構成されている。そのため、請求項１に記載のディスクケースによれば、そのように凹部のまわりが構成されていない場合よりも効果的にシャフト先端を凹部の位置まで移動させることができる。
【００１４】
また、請求項１に記載のディスクケースでは、好ましくは、ベースおよびシャフトの材料よりも柔軟な材料によってカバーが構成されている。そのため、請求項１に記載のディスクケースによれば、カバーが柔軟な材料によって構成されていない場合よりも効果的にカバーを変形せしめ、シャフト先端を凹部の位置まで移動させることができる。
【発明を実施するための最良の形態】
【００１５】
図１は本発明のディスクケースの一実施形態の分解斜視図である。図１において、１はディスクＤを載置するためのベース、２はベース１上に積み重ねて載置される複数のディスクＤを整列するためにベース１に取付けられたシャフト、３はベース１上に載置されたディスクＤを覆うための筒状カバーである。１１ａ〜１１ｄ（１１ｃは図示せず）はベース１に形成された係合用溝部、２１はシャフト先端、３１はカバー３がベース１に装着された時にシャフト先端２１と嵌合する凹部である。３２は凹部３１のまわりに配置された凸部、３３ａ〜３３ｄは係合用溝部１１ａ〜１１ｄと係合するための係合用突部である。ＤＨはディスクＤのセンターホール、ＣＬは筒状カバー３の中心軸線である。図２は図１に示したベースおよびシャフトの側面図、図３は図１に示したカバーの断面図、図４〜図６は図１に示した係合用突部３３ａ、係合用溝部１１ａなどの拡大図である。
【００１６】
図１に示すように、本実施形態のディスクケースでは、係合用溝部１１ａ〜１１ｄがベース１に設けられており、また、筒状カバー３が弾性変形することにより係合用溝部１１ａ〜１１ｄとスナップフィット式に係合可能な係合用突部３３ａ〜３３ｄが、筒状カバー３に設けられている。
【００１７】
また、本実施形態のディスクケースでは、図１、図５及び図６に示すように、ベース１に対して周方向に回転させることなく、ベース１に対して中心軸線（ＣＬ）方向に押圧することのみによってカバー３をベース１に装着することができるように、ベース１およびカバー３が形成されている。つまり、カバー３がベース１に装着せしめられる時、カバー３はベース１に対して中心軸線方向に押圧されればよく、図５に示すように、係合用突部３３ａは、ベース１に対して周方向に回転せしめられることなく、３３ａ’の位置まで中心軸線方向に移動せしめられる。また、図６（ｂ）に詳細に示すように、カバー３がベース１に装着せしめられる時、カバー３が弾性変形せしめられながら、係合用突部３３ａ（〜３３ｄ）が係合用溝部１１ａ（〜１１ｄ）に係合せしめられる。
【００１８】
ところが、上述したように、カバー３をベース１に対して押圧することのみによってカバー３をベース１に装着できるようにディスクケースを構成すると、カバー３がベース１及びシャフト２に対して傾くことなく押圧される場合と、カバー３がベース１及びシャフト２に対して少し斜めに押圧される場合とが生じ得ることになる。
【００１９】
図７はカバーがベース及びシャフトに対して傾くことなく押圧されている状態を示した図、図８はカバーがベースに装着された状態を示した図である。図７に示すように、カバー３がベース１及びシャフト２に対して傾くことなく押圧される場合、すなわち、カバー３の中心軸線ＣＬとシャフト２の中心軸線ＣＬ’とがほぼ一致せしめられた状態でカバー３がベース１に対して押圧される場合には、シャフト先端２１の位置と凹部３１の位置とが一致せしめられている。そのため、図８に示すように、カバー３が更に押圧された時に、シャフト先端２１は凹部３１と嵌合することができ、カバー３がベース１に装着せしめられる。
【００２０】
図９はカバーがベース及びシャフトに対して少し斜めに押圧されている状態を示した図である。図９に示すように、カバー３がベース１及びシャフト２に対して少し斜めに押圧される場合、すなわち、カバー３の中心軸線ＣＬに対してシャフト２の中心軸線ＣＬ’が少し傾いた状態でカバー３がベース１に対して押圧される場合には、シャフト先端２１の位置と凹部３１の位置とがずれてしまい、シャフト先端２１が凹部３１のまわりの凸部３２に突き当たってしまう。
【００２１】
例えば特開２０００−１６８８７２号公報に記載されたディスクケースのようにカバーが比較的硬い材料によって形成されていると、図９に示したように、シャフト先端２１が凹部３１のまわりの凸部３２に突き当たった場合に、ユーザーは、カバー３をベース１及びシャフト２に対して更に押圧することができず、シャフト先端２１を凹部３１と嵌合させることができなくなってしまう。
【００２２】
本実施形態では、このような問題点を解消すべく、カバー３をベース１に装着すべき時にシャフト先端２１の位置と凹部３１の位置とがずれている場合には、シャフト先端２１が突き当たることによってカバー３が変形せしめられ、それにより、シャフト先端２１が凹部３１の位置まで移動するように、カバー３が構成されている。
【００２３】
図１０はシャフト先端が突き当たることによりカバーが変形せしめられている状態を示した図である。図９に示したように、シャフト先端２１が凹部３１のまわりの凸部３２に突き当たった場合でも、本実施形態のカバー３がベース１及びシャフト２の材料よりも柔軟な材料によって構成されているため、ユーザーは、カバー３をベース１及びシャフト２に対して更に押圧することができる。その結果、図１０に示すように、カバー３がベース１及びシャフト２に対して更に押圧せしめられる（破線→実線）と、カバー３が図１０の上側に弾性変形せしめられる（破線→実線）。詳細には、凹部３１及び凸部３２が図１０の上側に移動せしめられる。そのため、シャフト先端２１が突き当たっている凸部３２の表面がテーパ状（すり鉢状）に変形せしめられることになる（図１０中の二点鎖線参照）。
【００２４】
それにより、図１０に矢印で示すように、シャフト先端２１はテーパ状の凸部３２の表面に沿って凹部３１の位置まで移動しやすくなる。シャフト先端２１が凹部３１の位置まで移動すると、シャフト先端２１が凹部３１と嵌合せしめられ、弾性変形していたカバー３が復元する。つまり、図８に示したように、カバー３がベース１に装着された状態になる。
【００２５】
すなわち、本実施形態によれば、カバー３をベース１に装着すべき時にカバー３がベース１及びシャフト２に対して少し斜めに押圧されるのに伴って、図９に示したようにシャフト先端２１の位置と凹部３１の位置とがずれ、シャフト先端２１が凹部３１のまわりの凸部３２に突き当たっている場合であっても、カバー３をベース１及びシャフト２に対して更に押圧することのみにより、シャフト先端２１を凹部３１と嵌合させることができ、カバー３をベース１に装着することができる。
【００２６】
また本実施形態では、シャフト先端２１が凹部３１と嵌合しやすいように、シャフト先端２１が面取りされており（図２参照）、凹部３１の内周面がテーパ状に形成されている（図３参照）。
【００２７】
更に本実施形態では、成形時におけるシャフトの抜き方向がシャフトの径方向になるようにシャフト２が構成されている。つまり、シャフトを中空棒として成形すると、成形時における抜き方向がシャフトの長手方向になるのに伴って加工・成形費が嵩んでしまうのに鑑み、本実施形態では、成形時における金型の移動量を低減すべく、成形時におけるシャフトの抜き方向がシャフトの径方向になるようにシャフト２が構成されている。
【図面の簡単な説明】
【００２８】
【図１】本発明のディスクケースの一実施形態の分解斜視図である。
【図２】図１に示したベースおよびシャフトの側面図である。
【図３】図１に示したカバーの断面図である。
【図４】図１に示した係合用突部３３ａ、係合用溝部１１ａなどの拡大図である。
【図５】図１に示した係合用突部３３ａ、係合用溝部１１ａなどの拡大図である。
【図６】図１に示した係合用突部３３ａ、係合用溝部１１ａなどの拡大図である。
【図７】カバーがベース及びシャフトに対して傾くことなく押圧されている状態を示した図である。
【図８】カバーがベースに装着された状態を示した図である。
【図９】カバーがベース及びシャフトに対して少し斜めに押圧されている状態を示した図である。
【図１０】シャフト先端が突き当たることによりカバーが変形せしめられている状態を示した図である。
【符号の説明】
【００２９】
１  ベース
２  シャフト
３  カバー
２１  シャフト先端
３１  凹部
３２  凸部
【図１】
2007204150.tif 000003
【図２】
2007204150.tif 000004
【図３】
2007204150.tif 000005
【図４】
2007204150.tif 000006
【図５】
2007204150.tif 000007
【図６】
2007204150.tif 000008
【図７】
2007204150.tif 000009
【図８】
2007204150.tif 000010
【図９】
2007204150.tif 000011
【図１０】
2007204150.tif 000012